(57)【要約】【課題】上面に付着する土砂などを取り除く清掃の手間をなくし、且つ上面に載った土砂などを建設機械置き場等へ持ち込むのを防ぐようにする。【解決手段】油圧ショベル等の建設機械に装備されるドーザブレード１を建設機械に上下方向に揺動自在に支持するようにしてある一対のドーザブレード支持アーム２のアーム本体部３の上面３ａを、内側から外側に向けて下方に傾斜させた斜面にする。又、該アーム本体部３と上記ドーザブレード１との装着部に補強部材５を設けて、該補強部材５の上面５ａを、上記アーム本体部３の上面３ａの斜面に合わせて下方に傾斜させた斜面とする。これにより、一対のアーム本体部３の上面３ａと補強部材上面５ａに載った土砂などは、該上面３ａ，５ａに沿わせて下方に落下させることができる。【選択図】図１
2011174281.tif 000002
【特許請求の範囲】
【請求項１】
建設機械に装備されるドーザブレードを支持する支持アームのアーム本体部を、上面が傾斜面又は曲面を有する形状とした構成を有することを特徴とするドーザブレード支持アーム。
【請求項２】
支持アームのアーム本体部上面を一側方へ傾斜する傾斜面とし、該上面の傾斜面を、支持アームのドーザブレードへの装着部を補強する部材上面の傾斜面に連続するようにした請求項１記載のドーザブレード支持アーム。
【請求項３】
支持アームのアーム本体部を、上面、両側面、底面を有するパイプ形状として、上面を傾斜面又は曲面を有する形状とした請求項１記載のドーザブレード支持アーム。
【発明の詳細な説明】
【技術分野】
【０００１】
本発明は、油圧ショベル等の建設機械に装備されるドーザブレードを支持するのに用いるドーザブレード支持アームに関するものである。
【背景技術】
【０００２】
油圧ショベル等の建設機械に装備されるドーザブレードは、建設機械の下部走行体の前側位置に左右一対の支持アームを介して上下方向に揺動自在に支持されており、ドーザブレードを地面に接するように降ろして建設機械を前進させることにより、土砂などをドーザブレードで前方へ掻き寄せることができるようにしてある。このように、ドーザブレードは、建設機械の作業時には、建設機械の前進する力で支持アームを介して土砂などを前方へ押し出すようにするものであるため、ドーザブレードを支持する支持アームは、十分な強度を有するものであることが要求されている。そのため、フラットバー又は溶接した厚板で作られることが多いが、座屈強度を高めるため、角パイプを用いる場合がある。
【０００３】
図３は、従来のドーザブレードとその支持アームの一例を示すもので、油圧ショベル１０１の下部走行体のカーボディ１０２に支持ブラケット１０３を介して上下揺動自在に支持されるようにしてある左右一対の支持アーム１０４があり、該各支持アーム１０４の先端に左右方向に延びているドーザブレード１０５が一体的に取り付けられている。上記左右一対の支持アーム１０４には、支持ブラケット１０３に基端部を上下方向へ回動可能に取り付けてある油圧シリンダ１０６のロッド先端がそれぞれ連結してあり、該油圧シリンダ１０６の伸縮作動により支持アーム１０４を介してドーザブレード１０５が上下方向へ揺動されるようにしてある。更に、上記構成における支持アーム１０４は、中空四角筒形状の成形材からなる構成の上面部に、補強プレート１０７を全面に亘り溶着して補強した構造のものとしてある（たとえば、特許文献１参照）。
【０００４】
なお、図示してないが、建設機械に用いられるアームとしては、断面形状を三角形状、台形としたもの（たとえば特許文献２参照）や、断面形状を円筒形状としたもの（たとえば特許文献３参照）も提案されてきている。
【先行技術文献】
【特許文献】
【０００５】
【特許文献１】特開平９−１４４０５２号公報
【特許文献２】特開２００４−２１１５０５号公報
【特許文献３】特開平９−１６５７７３号公報
【発明の概要】
【発明が解決しようとする課題】
【０００６】
ところが、上記特許文献１に記載されたものでは、支持アーム１０４の上面には補強プレート１０７が取り付けられて水平面としてあることから支持アーム１０４上面の面積が広くなり、油圧ショベル等の建設機械により作業を行っているときに、支持アーム１０４上面に土砂などが載りやすくなる。このため、建設機械の作業を終了させた後、支持アーム１０４上面に載っている土砂などを取り除く清掃を行う必要が生じ、この清掃に手間が掛かるという問題がある。又、支持アーム１０４上面に土砂を載せたまま作業現場から建設機械を移動させて格納した場合には、建設機械置き場等へ土砂などを持ち込んでしまうことになり、置き場等での清掃に手間やコストがかかるという問題も生じる。
【０００７】
一方、上記特許文献２及び３に記載されたものは、いずれも油圧ショベルのバケットを支持するために用いられるアームの構造であり、ドーザブレードを支持するのに用いられる支持アームではなく、ドーザブレード支持アームに適用することを示唆するものではない。
【０００８】
そこで、本発明は、十分な強度を有し且つ作業中に上面に土砂などが載り難いようにして上記従来の種々の問題点を解消するようにしたドーザブレード支持アームを提供しようとするものである。
【課題を解決するための手段】
【０００９】
本発明は、上記課題を解決するために、請求項１に対応して、建設機械に装備されるドーザブレードを支持する支持アームのアーム本体部を、上面が傾斜面又は曲面を有する形状とした構成とする。
【００１０】
又、請求項２に対応して、上記構成における支持アームのアーム本体部上面を一側方へ傾斜する傾斜面とし、該上面の傾斜面を、支持アームのドーザブレードへの装着部を補強する部材上面の傾斜面に連続するようにした構成とする。
【００１１】
更に、請求項３に対応して、上記構成における支持アームのアーム本体部を、上面、両側面、底面を有するパイプ形状として、上面を傾斜面又は曲面を有する形状とした構成とする。
【発明の効果】
【００１２】
本発明のドーザブレード支持アームによれば、以下の如き優れた効果を発揮する。  
（１）建設機械に装備されるドーザブレードを支持する支持アームのアーム本体部を、上面が傾斜面又は曲面を有する形状とした構成としてあるので、アーム本体部上面に土砂などが載ることを防止することができる。したがって、ドーザブレード支持アーム上面に付着する土砂などを取り除く清掃の手間をなくすことができ、又、建設機械置き場等への土砂などの持ち込みを防止することができる。  
（２）又、支持アームのアーム本体部上面を一側方へ傾斜する傾斜面とし、該上面の傾斜面を、支持アームのドーザブレードへの装着部を補強する部材上面の傾斜面に連続するようにした構成としてあるので、アーム本体部とドーザブレードの装着部を補強することができる。又、アーム本体部とドーザブレードの装着部の補強部材上面に土砂などが付着するのを防止することができ、（１）に記載したのと同様の効果を有する。  
（３）更に、支持アームのアーム本体部を、上面、両側面、底面を有するパイプ形状として、上面を傾斜面又は曲面を有する形状とした構成としてあるので、ドーザブレードを支持するのに十分な強度を得ることができ、又、アーム本体部上面に土砂などが載ることを防止することができる。
【図面の簡単な説明】
【００１３】
【図１】本発明のドーザブレード支持アームの実施の一形態を示す概略斜視図である。
【図２】図１のＡ−Ａ方向拡大矢視図である。
【図３】従来のドーザブレード支持アームの一例を示す概略斜視図である。
【発明を実施するための形態】
【００１４】
以下、本発明を実施するための形態を図面を参照して説明する。
【００１５】
図１及び図２は本発明のドーザブレード支持アームの実施の一形態を示すもので、図３に示す場合と同様に、ドーザブレード１を、図示しない建設機械の下部走行体の前側位置の支持ブラケットに左右一対の支持アーム２を介して上下方向へ回動自在に支持させるようにしてある構成において、上記左右一対の支持アーム２の基端部にある、上記建設機械の下部走行体側の支持ブラケットに上下方向へ回動自在に連結するための連結部材４を除くアーム本体部３を、全長に亘り上面３ａが一側方へ傾斜するようにした構成とする。
【００１６】
すなわち、上記左右一対の支持アーム２のアーム本体部３を、上面３ａと両側面３ｂ，３ｃと底面３ｄとからなるパイプ形状として十分な強度を有する構造とし、且つ上記各支持アーム２の各アーム本体部３の上面３ａを、一側方、たとえば、図示の如く、一対の支持アーム２の相対向する内側から外側の方向へ下り傾斜となるように傾斜させて、断面形状がほぼ台形となるような形状とする。上記傾斜角度は、アーム本体部３の上面３ａに土砂などが載っても、自然にあるいは振動により滑り落ちる程度のものとする。
【００１７】
更に、上記一対の支持アーム２のアーム本体部３の先端部をドーザブレード１の背面側に固定装着する部分を補強するため、アーム本体部３の先端部外側面３ｂとドーザブレード１の背面にそれぞれ固定する補強部材５の上面５ａを、上記各アーム本体部３の上面３ａの傾斜面に合わせた角度の傾斜面とするようにし、上記各支持アーム２におけるアーム本体部３の上面３ａと補強部材５の上面５ａが図２に示す如く連続した傾斜面になるようにする。
【００１８】
６はドーザブレード１の背面側の中央部に突設してある連結用ブラケットである。
【００１９】
かかる構成において、油圧ショベル等の建設機械により作業を行うと、上記一対の支持アーム２におけるアーム本体部３の上面３ａに土砂などが載って、該アーム本体部上面３ａに土砂などが付着しようとしても、土砂などはアーム本体部上面３ａの斜面に沿わされてアーム本体部３の側方へ落下させられることになる。又、アーム本体部３とドーザブレード１との装着部では、上記のようにアーム本体部上面３ａの内側から外側に移動させられる土砂などが、更に補強部材５の上面５ａに沿わされて下方に落下させられることになる。したがって、アーム本体部３の上面３ａや補強部材５の上面５ａに土砂などが載ったまま残って土砂などが付着することを防止することができることから、アーム本体部３や補強部材５の各上面３ａ，５ａを清掃する手間をなくすことができ、又、建設機械置き場等へ土砂などを持ち込むことを防止することができる。
【００２０】
又、アーム本体部３の断面形状を中空の四角形状の構造体としてあるので、ドーザブレード１を支持するのに十分な強度を得ることができる。
【００２１】
なお、上記実施の形態では、一例として、一対の支持アーム２のアーム本体部３の上面３ａを一方向へ傾斜する斜面とした場合について説明したが、上面３ａを曲面としてもよいこと、その他本発明の要旨を逸脱しない範囲内において種々変更を加え得ることは勿論である。
【符号の説明】
【００２２】
１  ドーザブレード
２  支持アーム
３  アーム本体部
３ａ  上面
５  補強部材（部材）
５ａ  上面
【図１】
2011174281.tif 000003
【図２】
2011174281.tif 000004
【図３】
2011174281.tif 000005